(57)【要約】【課題】干渉キャンセラ又は干渉抑圧機能の実行により通信品質が低下しないようにすることを目的とする。【解決手段】  複数の無線基地局から送信された信号を受信する移動通信端末であって、前記信号を受信する受信部と、前記受信部が受信した信号に対して干渉低減処理を実行する干渉低減部と、前記受信部が受信した信号に含まれる、当該移動通信端末が通信中のセルのパイロット信号の受信信号電力と雑音電力の第一信号対雑音比、及び、前記干渉低減処理が実行された信号に含まれる、前記パイロット信号の受信信号電力と雑音電力の第二信号対雑音比を算出する算出部と、前記第一信号対雑音比が前記第二信号対雑音比以下である場合に、前記受信部が受信した信号を用いて受信処理を行うと判断する判断部と、を有する、移動通信端末を提供する。【選択図】図２
2014236279.tif 000002
【特許請求の範囲】
【請求項１】
複数の無線基地局から送信された信号を受信する移動通信端末であって、
前記信号を受信する受信部と、
前記受信部が受信した信号に対して干渉低減処理を実行する干渉低減部と、
前記受信部が受信した信号に含まれる、当該移動通信端末が通信中のセルのパイロット信号の受信信号電力と雑音電力の第一信号対雑音比、及び、前記干渉低減処理が実行された信号に含まれる、前記パイロット信号の受信信号電力と雑音電力の第二信号対雑音比を算出する算出部と、
前記第一信号対雑音比が前記第二信号対雑音比以下である場合に、前記受信部が受信した信号を用いて受信処理を行うと判断する判断部と、
を有する、移動通信端末。
【請求項２】
前記判断部は、前記第一信号対雑音比が前記第二信号対雑音比より大きい場合に、前記干渉低減処理が実行された信号を用いて受信処理を行うと判断する、
請求項１に記載の移動通信端末。
【請求項３】
前記受信部が受信した信号に含まれる、当該移動通信端末が通信中のセルのパイロット信号の第一受信電力、及び、前記セル以外の他のセルのパイロット信号のうち、受信電力が最大のパイロット信号の第二受信電力を取得する取得部
をさらに有し、
前記判断部は、前記第一受信電力から前記第二受信電力を引いた値が、第一の閾値以上であるか、あるいは、該第一の閾値より小さい第二の閾値以下である場合に、前記受信部が受信した信号を用いて受信処理を行うと判断する、
請求項２に記載の移動通信端末。
【請求項４】
前記判断部は、前記第一受信電力から前記第二受信電力を引いた値が、前記第一の閾値より小さく、かつ、前記第二の閾値より大きい場合に、前記干渉低減処理が実行された信号を用いて受信処理を行うと判断する、
請求項３に記載の移動通信端末。
【請求項５】
複数の無線基地局から送信された信号を受信する移動通信端末が実行する方法であって、
前記信号を受信する受信段階と、
前記受信段階において受信された信号に対して干渉低減処理を実行する干渉低減段階と、
前記受信段階において受信された信号に含まれる、当該移動通信端末が通信中のセルのパイロット信号の受信信号電力と雑音電力の第一信号対雑音比、及び、前記干渉低減処理が実行された信号に含まれる、前記パイロット信号の受信信号電力と雑音電力の第二信号対雑音比を算出する算出段階と、
前記第一信号対雑音比が前記第二信号対雑音比以下である場合に、前記受信段階において受信された信号を用いて受信処理を行うと判断する判断段階と、
を有する、方法。
【請求項６】
複数の無線基地局から送信された信号を受信する移動通信端末であって、
前記信号を受信する受信部と、
前記受信部が受信した信号に対して干渉低減処理を実行する干渉低減部と、
前記受信部が受信した信号に含まれる、当該移動通信端末が通信中のセルのパイロット信号の第一受信電力、及び、前記セル以外の他のセルのパイロット信号のうち、受信電力が最大のパイロット信号の第二受信電力を取得する取得部と、
前記第一受信電力から前記第二受信電力を引いた値が、第一の閾値以上であるか、あるいは、該第一の閾値より小さい第二の閾値以下である場合に、前記受信部が受信した信号を用いて受信処理を行うと判断し、前記第一受信電力から前記第二受信電力を引いた値が、前記第一の閾値より小さく、かつ、前記第二の閾値より大きい場合に、前記干渉低減処理が実行された信号を用いて受信処理を行うと判断する判断部と、
を有する、移動通信端末。
【請求項７】
複数の無線基地局から送信された信号を受信する移動通信端末が実行する方法であって、
前記信号を受信する受信段階と、
前記受信段階において受信された信号に対して干渉低減処理を実行する干渉低減段階と、
前記受信段階において受信された信号に含まれる、当該移動通信端末が通信中のセルのパイロット信号の第一受信電力、及び、前記セル以外の他のセルのパイロット信号のうち、受信電力が最大のパイロット信号の第二受信電力を取得する取得段階と、
前記第一受信電力から前記第二受信電力を引いた値が、第一の閾値以上であるか、あるいは、該第一の閾値より小さい第二の閾値以下である場合に、前記受信部が受信した信号を用いて受信処理を行うと判断し、前記第一受信電力から前記第二受信電力を引いた値が、前記第一の閾値より小さく、かつ、前記第二の閾値より大きい場合に、前記干渉低減処理が実行された信号を用いて受信処理を行うと判断する判断段階と、
を有する、方法。
【発明の詳細な説明】
【技術分野】
【０００１】
本発明は、移動通信端末及び方法に関する。
【背景技術】
【０００２】
ＬＴＥ（Long Term Evolution）等のセルラ通信方式において、現在通信中のセル以外の周辺のセルからの信号は干渉信号となり、通信品質に影響を与える。このような干渉信号の影響を緩和する方法として、干渉キャンセラ又は干渉抑圧機能を搭載した移動機が知られている。干渉キャンセラは、移動機において、干渉信号を推定し、推定された信号を受信信号から取り除くものである。また、干渉抑圧機能は、移動機において、干渉信号の受信信号強度を小さくするよう処理を行う。これらの機能によって、干渉信号の影響が低減され、結果として、通信中のセルに対する受信信号対雑音比が向上し、通信品質が向上する。
【０００３】
先行技術文献１は、干渉キャンセラによる処理を行った場合の受信特性が、元の受信特性より劣化している場合に、干渉レプリカ信号の出力をオフとし、干渉キャンセルを行わないようにする技術を開示している。また、先行技術文献２は、干渉キャンセル前後の受信特性により、利得を調整する技術を開示している。
【先行技術文献】
【特許文献】
【０００４】
【特許文献１】特開２０００−０１３３６０号公報
【特許文献２】特開２０００−１８３８５０号公報
【発明の概要】
【発明が解決しようとする課題】
【０００５】
しかしながら、従来の技術によっては、干渉キャンセラ又は干渉抑圧機能により、通信中のセルの信号を干渉信号と誤って検出してしまった場合、却って通信品質が低下してしまうという問題があった。
【０００６】
本発明は、上記問題に鑑みてなされたものであり、干渉キャンセラ又は干渉抑圧機能の実行により通信品質が低下しないようにすることを目的とする。
【課題を解決するための手段】
【０００７】
上記課題を解決するため、本発明の一実施形態における移動通信端末は、
複数の無線基地局から送信された信号を受信する移動通信端末であって、
前記信号を受信する受信部と、
前記受信部が受信した信号に対して干渉低減処理を実行する干渉低減部と、
前記受信部が受信した信号に含まれる、当該移動通信端末が通信中のセルのパイロット信号の受信信号電力と雑音電力の第一信号対雑音比、及び、前記干渉低減処理が実行された信号に含まれる、前記パイロット信号の受信信号電力と雑音電力の第二信号対雑音比を算出する算出部と、
前記第一信号対雑音比が前記第二信号対雑音比以下である場合に、前記受信部が受信した信号を用いて受信処理を行うと判断する判断部と、
を有する。
【０００８】
また、本発明の一実施形態における方法は、
複数の無線基地局から送信された信号を受信する移動通信端末が実行する方法であって、
前記信号を受信する受信段階と、
前記受信段階において受信された信号に対して干渉低減処理を実行する干渉低減段階と、
前記受信段階において受信された信号に含まれる、当該移動通信端末が通信中のセルのパイロット信号の受信信号電力と雑音電力の第一信号対雑音比、及び、前記干渉低減処理が実行された信号に含まれる、前記パイロット信号の受信信号電力と雑音電力の第二信号対雑音比を算出する算出段階と、
前記第一信号対雑音比が前記第二信号対雑音比以下である場合に、前記受信段階において受信された信号を用いて受信処理を行うと判断する判断段階と、
を有する。
【０００９】
また、本発明の一実施形態における移動通信端末は、
複数の無線基地局から送信された信号を受信する移動通信端末であって、
前記信号を受信する受信部と、
前記受信部が受信した信号に対して干渉低減処理を実行する干渉低減部と、
前記受信部が受信した信号に含まれる、当該移動通信端末が通信中のセルのパイロット信号の第一受信電力、及び、前記セル以外の他のセルのパイロット信号のうち、受信電力が最大のパイロット信号の第二受信電力を取得する取得部と、
前記第一受信電力から前記第二受信電力を引いた値が、第一の閾値以上であるか、あるいは、該第一の閾値より小さい第二の閾値以下である場合に、前記受信部が受信した信号を用いて受信処理を行うと判断し、前記第一受信電力から前記第二受信電力を引いた値が、前記第一の閾値より小さく、かつ、前記第二の閾値より大きい場合に、前記干渉低減処理が実行された信号を用いて受信処理を行うと判断する判断部と、
を有する。
【００１０】
また、本発明の一実施形態における方法は、
複数の無線基地局から送信された信号を受信する移動通信端末が実行する方法であって、
前記信号を受信する受信段階と、
前記受信段階において受信された信号に対して干渉低減処理を実行する干渉低減段階と、
前記受信段階において受信された信号に含まれる、当該移動通信端末が通信中のセルのパイロット信号の第一受信電力、及び、前記セル以外の他のセルのパイロット信号のうち、受信電力が最大のパイロット信号の第二受信電力を取得する取得段階と、
前記第一受信電力から前記第二受信電力を引いた値が、第一の閾値以上であるか、あるいは、該第一の閾値より小さい第二の閾値以下である場合に、前記受信部が受信した信号を用いて受信処理を行うと判断し、前記第一受信電力から前記第二受信電力を引いた値が、前記第一の閾値より小さく、かつ、前記第二の閾値より大きい場合に、前記干渉低減処理が実行された信号を用いて受信処理を行うと判断する判断段階と、
を有する。
【発明の効果】
【００１１】
本発明の一実施形態によれば、干渉キャンセラ又は干渉抑圧機能の実行により通信品質が低下しなくなる。
【図面の簡単な説明】
【００１２】
【図１】無線通信システムの概略を示す図。
【図２】本発明の実施の一形態に係る無線通信端末の機能ブロック図。
【図３】本発明の実施の一形態に係る無線通信端末の処理を表すフローチャート。
【図４】本発明の実施の一形態に係る無線通信端末の処理を表すフローチャート。
【図５】本発明の実施の一形態に係る無線通信端末の処理を表すフローチャート。
【発明を実施するための形態】
【００１３】
以下、添付図面を参照しながら実施例を説明する。図中、同様な要素には同じ参照番号又は参照符号が付されている。
【００１４】
１．無線通信システムの概略
２．機能
３．動作例
【００１５】
≪    １．無線通信システムの概略    ≫
図１は、本実施形態に係る無線通信システム１の概略図である。図１に示されるように、無線通信システム１は、ユーザの所持する移動機（又は移動通信端末）１００（UE）と、例えばＥ−ＵＴＲＡＮ（Evolved Universal Terrestrial Radio Access Network）のような無線アクセスネットワークを構成する複数の基地局２００（eNode B）とを含む。また、基地局２００は、例えばＥＰＣ（Evolved Packet Core）のような、コアネットワークと接続される（図示しない）。
【００１６】
図１では、三つの基地局２００−１、２００−２、２００−３が示されており、各基地局の管理下にあるセルＣ１、Ｃ２、Ｃ３が示されている。移動機１００は、セルＣ１に属し、基地局２００−１と通信しているものとする。このとき、移動機１００は、基地局２００−２、２００−３から送信された、同一周波数の無線電波を受信する可能性がある。
【００１７】
そこで、移動機１００は、受信信号のうち、基地局２００−１の管理するセルＣ１固有の基準信号（パイロット信号）の、受信信号電力と雑音電力とを推定し、受信信号電力対雑音電力比ＳＮＲ−Ａを算出する。また、移動機１００は、受信信号を、干渉キャンセラ又は干渉抑圧処理（以下、まとめて「干渉低減処理」と呼ぶ）により、通信中でない基地局からの受信信号（干渉信号）の影響を低減させた後に、セルＣ１固有の基準信号の受信信号電力と雑音電力とを推定し、受信信号電力対雑音電力比ＳＮＲ−Ｂを算出する。そして、移動機１００は、ＳＮＲ−ＡとＳＮＲ−Ｂとを比較し，ＳＮＲ−Ａの方が大きい場合には、干渉キャンセラ又は干渉抑圧の機能を用いることなく、受信信号を後続の処理に用いる。
【００１８】
なお、干渉キャンセラ又は干渉抑圧は、任意の技術によって実現され得る。例えば、干渉キャンセラを実現する技術として、適応アンテナアレイを用いて干渉をゼロにする「干渉除去結合」方式や、反復して干渉信号を推定する「反復受信機技法」等がある。
【００１９】
≪    ２．機能    ≫
図２は、本発明の一実施形態における移動機１００の機能ブロック図である。なお、以下、本発明と関連する部分について主に説明する。すなわち、移動機１００は、移動機１００としての機能を実現する上で必須な、図示しない或いは説明を省略したブロック（電源部など）を備えることに留意されたい。
【００２０】
移動機１００は、受信部１０１と、信号対雑音比算出部１０２と、干渉低減部１０３と、信号受信電力取得部１０４と、閾値格納部１０５と、判断部１０６と、受信処理部１０７とを有する。
【００２１】
受信部１０１は、基地局から送信された信号を受信する。受信した信号（受信信号）には、当該移動機１００が通信中の基地局から送信された信号に加えて、通信していない他の基地局から送信された同一周波数の干渉信号が含まれる。受信部１０１は、受信した信号を、信号対雑音比算出部１０２、干渉低減部１０３、信号受信電力取得部１０４及び受信処理部１０７に渡す。
【００２２】
信号対雑音比算出部１０２は、受け取った信号における、通信中のセルのパイロット信号の受信信号電力と雑音電力とを推定し、その比を算出する。信号対雑音比算出部１０２は、受信部１０１の受信した受信信号、又は、後述する干渉低減部１０３により干渉低減処理がなされた信号において、パイロット信号の受信信号電力と雑音電力との比を算出する。以下では、受信部１０１の受信した受信信号において算出された比をＳＮＲ−Ａと表し、干渉低減処理がなされた信号において算出された比をＳＮＲ−Ｂと表す。信号対雑音比算出部１０２は、算出したＳＮＲ−Ａ及びＳＮＲ−Ｂを、判断部１０６に渡す。
【００２３】
干渉低減部１０３は、受け取った受信信号に対して、任意の干渉キャンセラ又は干渉抑圧による干渉低減処理を適用し、干渉による影響（すなわち、通信中でないセルから受信された信号による影響）を低減させる。干渉低減部１０３は、干渉低減処理を適用済みの信号を、信号対雑音比算出部１０２及び受信処理部１０７に渡す。
【００２４】
信号受信電力取得部１０４は、受け取った信号における、通信中のセルのパイロット信号の受信信号電力Ｐｏｗｅｒ−Ａと、通信しているセル以外のセルのパイロット信号の受信信号電力のうち最も大きな受信信号電力Ｐｏｗｅｒ−Ｂとを取得する。ここで、受信信号電力Ｐｏｗｅｒ−Ａ、Ｐｏｗｅｒ−Ｂは、例えば、ＲＳＲＰ（Reference Signal received Power；基準信号受信電力）である。信号受信電力取得部１０４は、取得した受信信号電力を、判断部１０６に渡す。
【００２５】
閾値格納部１０５は、受信信号電力に関する閾値ＴＨmax及びＴＨminを格納する。
【００２６】
判断部１０６は、信号対雑音比算出部１０２から受け取ったＳＮＲ−ＡとＳＮＲ−Ｂとを比較し、ＳＮＲ−Ａが大きい場合に、受信部１０１が受信した信号（すなわち、干渉低減処理を行っていない信号）を用いて後続の受信処理をすべきと判断する。また、判断部１０６は、ＳＮＲ−ＡがＳＮＲ−Ｂ以下である場合に、干渉低減部１０３の出力する信号を用いて後続の受信処理をするべきと判断する。そして、判断部１０６は、判断の結果を、受信処理部１０７に渡す。
【００２７】
また、判断部１０６は、信号受信電力取得部１０４から受け取ったＰｏｗｅｒ−ＡからＰｏｗｅｒ−Ｂを引いた値が、閾値格納部１０５に格納された閾値ＴＨmaxより小さく、ＴＨminより大きい場合に、干渉低減部１０３の出力する信号を用いて後続の受信処理をするべきと判断する。また、判断部１０６は、Ｐｏｗｅｒ−ＡからＰｏｗｅｒ−Ｂを引いた値が、閾値ＴＨmax以上、又は、閾値ＴＨmin以下である場合に、受信部１０１が受信した信号を用いて後続の受信処理をするべきと判断する。
【００２８】
これは、Ｐｏｗｅｒ−Ａが、Ｐｏｗｅｒ−Ｂと比べて十分大きい場合（すなわち、閾値ＴＨmax以上）には、元々高い通信品質が得られるため、干渉低減処理を実行する必要がないことによる。一方で、Ｐｏｗｅｒ−ＡとＰｏｗｅｒ−Ｂとの差が小さい場合（すなわち、その差が閾値ＴＨmin以下）である場合には、干渉低減処理により、かえって通信品質が劣化する可能性があるため、干渉低減処理を実行しない。
【００２９】
判断部１０６は、上述した判断の結果を、受信処理部１０７に渡す。
【００３０】
なお、判断部１０６は、上述した、ＳＮＲ−Ａ及びＳＮＲ−Ｂを用いた判断の結果と、Ｐｏｗｅｒ−Ａ及びＰｏｗｅｒ−Ｂを用いた判断の結果との両方を用いて、最終的に何れの信号を用いるかをさらに判断し、その結果を受信処理部１０７に渡してもよい。
【００３１】
受信処理部１０７は、判断部１０６から渡された結果に応じて、受信部１０１が受信した信号か、又は、干渉低減部１０３により干渉低減処理がなされた信号かを選択する。そして、受信処理部１０７は、選択した信号を用いて、通信中のセルの信号を検出し、自分宛のデータを復調し、復号処理を行う。
【００３２】
上記機能により、本実施形態における移動機１００は、干渉キャンセラ又は干渉抑圧の処理によって、かえって現在通信しているセルにおける通信品質が低下することを防止することができる。
【００３３】
≪    ３．動作例  ≫
次に、図３−図５を用いて、本発明の一実施形態に係る無線通信システム１の動作例を説明する。
【００３４】
図３は、本発明の一実施形態における移動機１００の処理の一例を表すフローチャートである。図３は、ＳＮＲ−Ａ及びＳＮＲ−Ｂを用いて、受信処理に用いる信号を決定する処理を表している。
【００３５】
まず、受信部１０１は、複数の基地局から信号を受信する（ステップＳ１０１）。
【００３６】
次に、信号対雑音比算出部１０２は、ステップＳ１０１で受け取った信号における、通信中のセルのパイロット信号の受信信号電力と雑音電力とを推定し、その比ＳＮＲ−Ａを算出する（ステップＳ１０２）。
【００３７】
次に、干渉低減部１０３は、ステップＳ１０１で受け取った受信信号に対して、干渉キャンセラ又は干渉抑圧による干渉低減処理を適用し、干渉による影響を低減させる（ステップＳ１０３）。
【００３８】
次に、信号対雑音比算出部１０２は、ステップＳ１０３で干渉低減処理した信号における、通信中のセルのパイロット信号の受信信号電力と雑音電力とを推定し、その比ＳＮＲ−Ｂを算出する（ステップＳ１０４）。
【００３９】
次に、判断部１０６は、ステップＳ１０２で算出したＳＮＲ−Ａと、ステップＳ１０４で算出したＳＮＲ−Ｂとを比較する（ステップＳ１０５）。
【００４０】
その結果、ＳＮＲ−Ａ＞ＳＮＲ−Ｂである場合には（ステップＳ１０６のＹＥＳ）、受信処理部１０７が、ステップＳ１０３で干渉低減処理された信号を用いて、自分宛のデータの復号処理等を行う（ステップＳ１０７）。一方、ＳＮＲ−Ａ＞ＳＮＲ−Ｂでない場合には（ステップＳ１０６のＮＯ）、受信処理部１０７が、ステップＳ１０１で受信した信号を用いて、自分宛のデータの復号処理等を行う（ステップＳ１０８）。
【００４１】
以上の処理により、本実施形態における移動機１００は、通信中のセルにおける通信品質が向上する場合にのみ、干渉低減処理を行って受信処理を行うことができる。
【００４２】
図４は、本発明の一実施形態における移動機１００の処理の一例を表すフローチャートである。図４は、Ｐｏｗｅｒ−Ａ及びＰｏｗｅｒ−Ｂを用いて、受信処理に用いる信号を決定する処理を表している。
【００４３】
まず、受信部１０１は、複数の基地局から信号を受信する（ステップＳ２０１）。
【００４４】
次に、信号受信電力取得部１０４は、受け取った信号における、通信中のセルのパイロット信号の受信信号電力Ｐｏｗｅｒ−Ａを取得する（ステップＳ２０２）。
【００４５】
次に、信号受信電力取得部１０４は、受け取った信号における、通信しているセル以外のセルのパイロット信号の受信信号電力のうち、最も大きな受信信号電力Ｐｏｗｅｒ−Ｂを取得する（ステップＳ２０３）。
【００４６】
次に、判断部１０６は、ステップＳ２０２で取得したＰｏｗｅｒ−Ａから、ステップＳ２０３で算出したＰｏｗｅｒ−Ｂを減算した値を、閾値格納部１０５に格納される閾値ＴＨmax及びＴＨminと比較する（ステップＳ２０４）。
【００４７】
ステップＳ２０４での比較の結果、Ｐｏｗｅｒ−ＡからＰｏｗｅｒ−Ｂを減算した値が、ＴＨmaxより小さく、ＴＨminより大きい場合には（ステップＳ２０５のＹＥＳ）、干渉低減部１０３が、ステップＳ２０１で受信された信号に対して干渉低減処理を行う（ステップＳ２０６）。そして、受信処理部１０７が、ステップＳ２０６で干渉低減処理された信号を用いて、自分宛のデータの復号処理等を行う（ステップＳ２０７）。
【００４８】
一方、ステップＳ２０４での比較の結果、Ｐｏｗｅｒ−ＡからＰｏｗｅｒ−Ｂを減算した値が、ＴＨmax以上であるか、又はＴＨmin以下である場合には（ステップＳ２０５のＮＯ）、受信処理部１０７が、ステップＳ２０１で受信された信号を用いて、自分宛のデータの復号処理等を行う（ステップＳ２０８）。
【００４９】
以上の処理により、本実施形態における移動機１００は、通信中のセルの信号受信電力が、通信中でないセルの信号受信電力より所定の値だけ大きい場合に、干渉低減処理を行うことができる。その結果、干渉低減処理によって、通信品質が低下してしまう可能性を低減させることができる。また、当該処理において、移動機は、受信信号をそのまま受信処理する場合には、干渉低減処理を実行する必要がないため、無用な雑音低減処理による負荷を低減させることができる。
【００５０】
図５は、本発明の一実施形態における移動機１００の処理の一例を表すフローチャートである。図５は、ＳＮＲ−Ａ、ＳＮＲ−Ｂ、Ｐｏｗｅｒ−Ａ及びＰｏｗｅｒ−Ｂを考慮して、受信処理に用いる信号を決定する処理を表している。
【００５１】
まず、受信部１０１は、複数の基地局から信号を受信する（ステップＳ３０１）。
【００５２】
次に、信号受信電力取得部１０４は、受け取った信号における、通信中のセルのパイロット信号の受信信号電力Ｐｏｗｅｒ−Ａを取得する（ステップＳ３０２）。
【００５３】
次に、信号受信電力取得部１０４は、受け取った信号における、通信しているセル以外のセルのパイロット信号の受信信号電力Ｐｏｗｅｒ−Ｂを取得する（ステップＳ３０３）。
【００５４】
次に、判断部１０６は、ステップＳ３０２で取得したＰｏｗｅｒ−Ａから、ステップＳ３０３で算出したＰｏｗｅｒ−Ｂを減算した値を、閾値格納部１０５に格納される閾値ＴＨmax及びＴＨminと比較する（ステップＳ３０４）。
【００５５】
ステップＳ３０４での比較の結果、Ｐｏｗｅｒ−ＡからＰｏｗｅｒ−Ｂを減算した値が、ＴＨmaxより小さく、ＴＨminより大きい場合には（ステップＳ３０５のＹＥＳ）、信号対雑音比算出部１０２は、ステップＳ３０１で受け取った信号における、通信中のセルのパイロット信号の受信信号電力と雑音電力とを推定し、その比ＳＮＲ−Ａを算出する（ステップＳ３０６）。
【００５６】
一方、ステップＳ３０４での比較の結果、Ｐｏｗｅｒ−ＡからＰｏｗｅｒ−Ｂを減算した値が、ＴＨmax以上であるか、又はＴＨmin以下である場合には（ステップＳ３０５のＮＯ）、受信処理部１０７が、ステップＳ３０１で受信された信号を用いて、自分宛のデータの復号処理等を行う（ステップＳ３１２）
ステップＳ３０６の次に、干渉低減部１０３は、ステップＳ３０１で受け取った受信信号に対して、干渉キャンセラ又は干渉抑圧による干渉低減処理を適用し、干渉による影響を低減させる（ステップＳ３０７）。
【００５７】
次に、信号対雑音比算出部１０２は、ステップＳ３０７で干渉低減処理した信号における、通信中のセルのパイロット信号の受信信号電力と雑音電力とを推定し、その比ＳＮＲ−Ｂを算出する（ステップＳ３０８）。
【００５８】
次に、判断部１０６は、ステップＳ３０６で算出したＳＮＲ−Ａと、ステップＳ３０８で算出したＳＮＲ−Ｂとを比較する（ステップＳ３０９）。
【００５９】
その結果、ＳＮＲ−Ａ＞ＳＮＲ−Ｂである場合には（ステップＳ３１０のＹＥＳ）、受信処理部１０７が、ステップＳ３０７で干渉低減処理された信号を用いて、自分宛のデータの復号処理等を行う（ステップＳ３１１）。
【００６０】
一方、ＳＮＲ−Ａ＞ＳＮＲ−Ｂでない場合（ステップＳ３１０のＮＯ）、受信処理部１０７が、ステップＳ３０１で受信した信号を用いて、自分宛のデータの復号処理等を行う（ステップＳ３１２）。
【００６１】
以上の処理により、本実施形態における移動機１００は、通信中のセルのパイロット信号の信号受信電力が、通信中でないセルのパイロット信号の信号受信電力より一定量大きい場合にのみ、干渉低減処理の有効性を判断して、干渉低減処理を実行するか否かを決定することができる。その結果、干渉低減処理により、かえって通信中のセルの通信品質が低下してしまうといった問題を解決することができる。
【００６２】
なお、図５の例では、図４に例示されるＰｏｗｅｒ−Ａ及びＰｏｗｅｒ−Ｂを用いた判定を行った後に、必要に応じて、図３に例示されるＳＮＲ−Ａ及びＳＮＲ−Ｂを用いた判定を行い、如何なる信号を用いて受信処理を行うべきかを決定する。しかしながら、本発明の一実施形態において、図３に例示されるＳＮＲ−Ａ及びＳＮＲ−Ｂを用いた判定を行った後に、図４に例示されるＰｏｗｅｒ−Ａ及びＰｏｗｅｒ−Ｂを用いた判定を行い、如何なる信号を用いて受信処理を行うべきかを決定してもよい。
【符号の説明】
【００６３】
１  無線通信システム
１００  移動機
１０１  受信部
１０２  信号対雑音比算出部
１０３  干渉低減部
１０４  信号受信電力取得部
１０５  閾値格納部
１０６  判断部
１０７  受信処理部１０７
２００  基地局
【図１】
2014236279.tif 000003
【図２】
2014236279.tif 000004
【図３】
2014236279.tif 000005
【図４】
2014236279.tif 000006
【図５】
2014236279.tif 000007